(57)【要約】      （修正有）【課題】汚染外気を嫌う事業所のゲート（貨物の搬入搬出口）の開閉操作を行う当該外来運転手、従事者の多発する、防塵遮蔽ゲート開閉操作ミスを防ぎ、指示表示を適宜発信誘導して、防塵遮蔽ゲート開閉操作が極めて容易かつ平易に行える、「高度防塵遮蔽ゲート開閉コントローラ」を提供する。【解決手段】市販のアナログ視聴覚信号表示機器を表示プレート部に装着してチャート図回路構成なる、ＰＬＣプログラムと電源部、外部入力信号、外部出力信号で構成作動成るアナログ機器表示型または、アナログ視覚信号表示機器と表示プレート部を除き、チャート図回路構成なるＰＬＣプログラムと電源部、警報ブザー、外部入力信号、外部出力信号で構成作動成るプログラマブル、デジタル表示器型の何れかを選択し用いる。【選択図】図１
2018087479.tif 000002
【特許請求の範囲】
【請求項１】
汚染外気を嫌う事業所のゲート（貨物の搬入搬出口）の開閉操作を行う当該外来運転手、従事者の多発する、防塵遮蔽開閉操作ミスを防ぎ、「アナログ時計」「一般エレベーター」の様に小学生でも解る細分指示表示を適宜発信誘導して、防塵遮蔽開閉操作が極めて容易かつ平易に行なう為のアナログ視聴覚信号機器を（［図２］）表示パネル部に装着して（［図３］）チャート図回路構成成るＰＬＣプログラム、外部入力信号、外部出力信号で作動成る（［図１］）アナログ型高度防塵遮蔽ゲート開閉コントローラ
【請求項２】
各視聴覚信号機器を、「アナログ時計」「一般エレベーター」の様に全体構成、過去、現在、未来が瞬時に解る様に順番を示す記号、工程順番号、指示表記等を表記、各アナログ視聴覚信号機器を取付ける為の取付け位置孔を設け成る（［図２］）表示パネル部
【請求項３】
電源部、外部入力信号を受信して作動する、アンログ型及びデジタル表示型の本発明構成の、「高度防塵遮蔽ゲート開閉コントローラ」の作動及び外部起動信号を適宜発信する為の、ＰＬＣプログラム回路構成をなす（［図３］）チャート図
【請求項４】
アナログ視聴覚信号機器で構成の（［図１］）のアナログ視聴覚信号機器及びを（［図２］）表示パネル部を、デジタル表示に変えるプログラマブル表示器に変換して（［図３］）チャート図回路構成ＰＬＣプログラム、外部入力信号、外部出力信号で作動成る、デジタル表示型高度防塵遮蔽ゲート開閉コントローラ
【請求項５】
（［図４］）相関図に示す、既設の再利用、他社製品との互換性、異なる機種との接続等省エネ省コスト経済性、手動型から電動型に変更の際の利便性、統一仕様の汎用普及優位を示す書式
【発明の詳細な説明】
【技術分野】
【０００１】本発明は、「食の安全」に規制を受ける事業所、また高度防塵を要する事業所等に、設けなるゲート（貨物の搬入、搬出口）に接岸して荷役を行う車種形状の異なる当該車両の、２トン車〜大型コンテナ車等の各々車高、車幅の異なるゲートの発生周囲スキマに対応して適宜防塵遮蔽する、「防塵遮蔽装置」（エアーを含む、可動式シェルター）を起動して防塵遮蔽完了後に「開閉仕切り装置」（シャッター、オーバードア、防熱扉等）の手動開閉操作を要する「手動操作型」には手動操作アクション指令表示を発信誘導して、またインターロックで自動起動する電動型には自動起動信号を、ＰＬＣ（プログラマブルコントローラ）、入力信号、出力信号を介して各々適時作動、発信誘導する。【０００２】外来運転手、従事者には従来負担が重く、かつミスが多く難易であった、「高度防塵遮蔽ゲート開閉操作」を、各種センサー、入力信号を受け作動なるＰＬＣプログラムで作動する、各視聴覚表示具の発信指令による「適時操作タイミング」指令表示誘導を当該ゲートを開閉操作する運転手、従事者に発信して「ミスの防止」「荷役業務の円滑化」当該ゲート周囲の「食の安全」「清浄保全」「法令、規制、安全基準クリアー」を図る。【０００３】また諸々課題の「食品衛生法」「各種法令制令等」「ＨＡＣＣＰ」「トレーサビリティ」「コンプライアンス」等、各種「食の安全」規制の強化対応、防塵強化対応も可能に成る、而して「人類、生物の敵」「汚染外気」の「清浄施設内浸入を排除」する「高度防塵遮蔽ゲート開閉コントローラ」に関する。
【発明の概要】
【発明が解決しようとする課題】
【０００４】近年、我が国では「Ｏ−１５７」「Ｈ５Ｎ１」「ＢＳＥ」等の発生、また最近では隣国発生源の「ＰＭ２．５」「汚染黄砂」の飛来対策も相乗し、「食品衛生法」「各種法令、制令」「ＨＡＣＣＰ」「トレーサビリティ」「コンプライアンス」等、各種「食の安全」規制の強化、防塵強化等々が課題と成っているが対象業種、線引き、グレード、企業格差、個人格差等の、尺度、秤、判断基準が異なり、受け入れ姿勢が千差万別等、諸々の問題点がある、原因は「後追い法改正」「長期経済情勢の悪化」「「汚染外気に対する概念の希薄」「適正なるコントロール機器の未開発」「防塵衛生、教育指導の困難、不徹底」等が相乗して、各規制の遵守普及を阻む様々な障害の除去、解決に至っていない。【０００５】また、当該ゲートを開閉操作する当該貨物運搬車両の運転手、ゲート開閉操作従事者は「食品衛生法」各種規制の直接的影響を受けない、管理責任は当該ゲート保有企業にあるしかし、此の外来運転手に企業責任、コンプライアンスを託している、また運転手は新人、不慣れ、入れ変わり等人的不確定要素が多く、防塵遮蔽ゲート開閉指導、教育講習も侭ならず、継続して「遮蔽ミス」「清浄破壊」「施設破壊」「経済的損失」等が継続発生し、企業の「円滑業務」「運営管理」「企業信用」の障害となっている。【０００６】さらに、各企業のベテラン倉庫業務作業者の中にも「従来からの慣習」「目に見えない汚染外気」に対する「取組意識の希薄」「汚染軽視」「荷捌き業務を優先」する者も多い、「今まで問題が起きなかった」「汚染に注意と言うけれど」「今の施設、業務でどうするの」さらに適切なる「高度防塵遮蔽ゲート開閉コントローラ」の未開と「汚染外気の軽視」が相乗し法改正、各種規制強化に対する、各企業、各担当者、外来運転手、従事者の法規制遵守の不統一等で現在に至って、なお「汚染外気浸入」に因る「清浄破壊」「諸課題」の根絶を阻んでいる。【０００７】事業所個々に防衛対策、装置は有するも、不統一であり、当該運転手また従事者に操作難解な「電気専門用語」記述の事業所も有る、さらに当該運転手、従事者の中には「夜間長距離運転」の者「走行時間規制」「不慣れ」「高齢者」「病弱者」「ピンチヒッター」さらに早朝「アルコール」臭い者もいる、「雑貨混載の渡り鳥」勤務等、「加重労働」「時間制約」の悪労働環境で、「ゆとりが無い」「焦る」而して「取扱注意見ない」「読まない」「聞かない」「解らない」「ガチャガチャ操作」等の頻発、結果「防塵遮蔽装置破壊」「清浄破壊」「業務支障」を引き起こす、また此の当該運転手、従事者に「企業責任」「企業信用」「食の安全」を託しかつ高価な「修繕費」また「機械的知識」と「電気制御知識」を有する技術者の不足で直ぐに直らない等々、企業円滑運営、「食の安全」の諸問題が継続して解消しないでいる。【０００８】当該ゲートを開閉操作する外来運転手、従事者の中には当該事業所の広い施設庫内に入って「ウッカリ間違えて他の隣接ゲートを開いてしまう者」「他の事業所と同じつもりで勝手に開閉仕切り装置を開く者」もいる、また異なる車種車高、車幅対応の防塵には、対応時間、タイミングのズレが生じる、しかしながら待てずに自己判断で防塵遮蔽装置の「防塵途中に勝手に開閉仕切り装置を開く」不届き者もいる。【０００９】さらに、荷捌き作業終了後「開閉仕切り装置を閉めずに飛出し発車する者」「防塵遮蔽装置を壊す者」等業務障害、損害等の直接被害また「清浄衛生破壊」による、目に見えない「保管品の汚染」「企業責任」「企業信用」等の間接被害は計りきれなく大きい。
【課題を解決するための手段】
【００１０】以上、の様々な障害の発生源である当該ゲートを開閉操作する、外来運転手、従事者に難易な従来型に比べ、本発明の操作が極めて解りやすく容易かつ平易な「アナログ時計」また「一般エレベーター」の様に「高度防塵遮蔽ゲート開閉」操作に必要な「情報の全体像が瞬時に解る」「全行程が解る」「現在工程」「経過工程」「次工程」等も瞬時に解る、小学生でも解る細分明解情報、誘導信号を発信する。【００１１】またＰＬＣ外部入力信号を介し作動の「視聴覚信号」指令表記誘導を発信し「適時操作タイミング」で「防塵遮蔽装置」の運転情報及び「開閉仕切り装置」を適宜連携操作する為の情報、指令表示を当該ゲート開閉操作する運転手、従事者に発信して手動開閉操作アクション、また自動起動するものにあってはインターロック信号を発信して「高度防塵遮蔽ゲート開閉」操作が、極めて容易かつ平易適切に行う事が出来る。【００１２】さらに「小学生にも解る」本発明構成を用いる事により、各企業で実施困難である、外来運転手、従事者対象の事前「取扱説明」「講習」「指導」「教育」も不要である。【００１３】また、違反者を除き即「高度防塵遮蔽ゲート開閉」操作が容易かつ平易に出来る。【００１４】また誤開きミスで鳴動の「警報ブザー１」と開閉仕切り装置が開いた時の「警報ブザー２」「交互に点滅する異常発生ランプ」で違反者の特定、異なる対応も即応出来る。【００１５】また、警報ブザーと同時に作動の「別途係数カウンターの設置で」管理者の知らない隠れ、ベテラン倉庫作業員の「厳しい法規制」「時代対応」能力欠如の「許可なし荷役優先、開閉仕切り装置の開放作業」も規制管理強化することが出来る。【００１６】本発明の、「高度防塵遮蔽ゲート開閉コントローラ」（［図１］）は、従来課題が多く当該事業所のネックである、当該ゲートの開閉操作を行う運転手、従事者の視聴覚に「適宜操作アクション」指令表示を、外部入出力信号、ＰＬＣを介して発信誘導する、また「操作手順を表示する番号」「操作方向を示す記号」各視聴覚機器各々の「意味合い」「表示指令」を「最適バランスで配置なる」（［図２］）表示プレート部を開発設けなる。【００１７】本発明の目的、「高度防塵遮蔽ゲート開閉」を阻む諸問題を解決し、荷役業務の円滑化「食の安全」法規制のクリアーを図る、（［図３］）チャート図に示す「ＰＬＣプログラム回路構成」で作動の防塵遮蔽装置の駆動モーターまたはブロアモーターを適宜運転する、また電動型の開閉仕切り装置、関連機器等にはインターロック信号を送受信する。【００１８】また（［図３］）チャート図、回路構成の「ＰＬＣ」プログラムで作動の当該ゲートの開閉に際し当該運転手、従事者が「隣接ゲートを誤開きするミスを防止」する為の手順１、「▲１▼ゲート確認」表記と「入車確認シテね」指示表記誘導ランプを設けなる。【００１９】▲１▼を確認して、方向指示記号に従い表記「▲２▼開始釦」（手動型開閉仕切り装置）「▲２▼開始／▲５▼ドア閉」（電動型開閉仕切り装置）をＯＮ操作すると、当該荷役車両と当該ゲートの発生周囲のスキマから「汚染外気」の「清浄庫内浸入」を防止する目的の、「防塵遮蔽装置」及びエアーカーテン等の「防塵、積載補助機器等」が起動する。【００２０】同時に、「▲３▼準備中マッテね」指示表記誘導ランプが点滅する、さらに「▲３▼〜▲６▼発車禁止」の赤色ランプが点灯する。【００２１】防塵遮蔽装置が当該車両の周囲スキマの防塵遮蔽を完了すると「▲４▼準備完了、ドア開シテね」（電動型開閉仕切り装置「ドア運転中」）指示表記誘導ランプが点滅する、此の「指示表記誘導ランプ」を確認する事により適時タイミングで、開閉仕切り装置を手動操作で開く事がミスなく容易かつ平易に出来る。【００２２】また連動して自動起動する「電動ドア」にあっては、「▲４▼ドア運転中」指示表記誘導ランプと同時に連動してインターロックで自動起動する事が出来る。【００２３】手動型開閉仕切り装置が上昇すると点滅する「▲４▼準備完了、ドア開シテね」指示表記誘導ランプは「点滅から連続点灯」に切り替り荷捌き作業終了後「▲５▼ドアを閉じると自動終了」表記に従って開閉仕切り装置を、手動で「閉操作」して全閉停止すると「消灯」して替わって「▲６▼準備中マッテね」指示表記誘導ランプが点灯する。【００２４】電動型開閉仕切り装置の場合は、上昇すると点滅する「▲４▼ドア運転中」指示表記誘導ランプは「点滅から連続点灯」に切り替り荷捌き作業終了後「▲５▼ドアを閉じると自動終了」表記に従って、▲２▼開始／▲５▼ドア閉をＯＮ操作すると、電動型開閉仕切り装置は閉運転し、全閉停止完了すると「▲４▼ドア運転中」ランプは消灯して替わって「▲６▼準備中マッテね」指示表記誘導ランプが点灯する。【００２５】「▲６▼準備中マッテね」指示表記誘導ランプは規定時間に消灯する、入れ替わり「▲７▼発車Ｏ．Ｋ」の緑色（青色）ランプが点滅する、此の点滅合図を確認して、施設庫内から退出して当該車両の外ゲートに向かう。【００２６】外ゲートでは、当該車両の周囲から防塵遮蔽装置が安全に離脱しているのを、当該運転手は目視確認（※規制義務）してから発進する。（※１サイクル荷捌き作業の終了）【００２７】規定時間に自動消灯または「外部別途確認釦」操作で消灯の「▲７▼発車Ｏ．Ｋ」ランプは、「▲１▼ゲート確認」表記、「入車確認シテね」指示表記誘導ランプに切り替り点滅する。【００２８】また操作ミス、ルール違反（防塵遮蔽装置の防塵未完了、開閉仕切り装置の閉め忘れ飛出し発車）を検知して発令の警報装置を設ける事により、防塵の障害除去、清浄保全対策対処が迅速に行える、またさらに別途連動する係数カウンターを設けると異常発生管理、対処もスムーズになり、また各々管理責任も明確にできる。【００２９】従来の障害を解消、解決する事により「食品衛生法」「各種法令、制令等」「ＨＡＣＣＰ」「トレーサビリティ」「コンプライアンス」等、各種「食の安全」規制の強化、防塵強化等のクリアーなることを特徴の「高度防塵遮蔽ゲート開閉コントローラ」を提供する。【００３０】なお、本発明構成の表記言語は、相手国言語を用いる事が出来る、またアナログ視覚信号機器はデジタルパネルに変換出来る、また外部入力信号、ＰＬＣを介して自動起動する機能、その他起動信号を要する機器には、各々信号を発信する機能も保有する。
【発明の効果】
【００３１】高度防塵遮蔽ゲートの開閉に関する諸問題のネック、発生原因である「荷捌き作業を行う外来運転手、従事者」に「適切で解り易い細分指令表示を視聴覚に発信、誘導する」事に依り、「高度防塵遮蔽ゲート開閉」操作が極めて簡単容易かつ平易に出来る。【００３２】また「人間生命、健康の保全」「食品衛生法」「法令、制令」「ＨＡＣＣＰ」「トレーサビリティ」「コンプライアンス」等、各種「食の安全」規制の強化、防塵強化等もクリアーできる、さらに「企業の存続、発展」「業務の円滑化」「経費節減」「企業信用、信頼力のアップ」「競争力アップ」「企業収益の増大」も期待できる等、社会に貢献できる。【００３３】「汚染外気」の「清浄施設内浸入を確実に防ぎ」「食の安全」の普及を阻む、諸課題を、排する本発明は、既存の多種多様未熟な防塵コントロール装置を駆逐して、設置基準の普及化、統一化、一元化も期待出来る（［図４］）。
【図面の簡単な説明】
【００３４】
【図１】「高度防塵遮蔽ゲート開閉コントローラ」の実施方法を示した説明図である、市販のアナログ視聴覚信号機器を（［図２］）本開発、表示パネル部に装着し（［図３］）の本開発チャート図、ＰＬＣプログラム回路構成で作動の実施例１である。
【図２】「高度防塵遮蔽ゲート開閉コントローラ」の実施方法を示した説明図である、市販のアナログ視聴覚信号機器を装着する為の、表示パネル部の実施例２である。
【図３】「高度防塵遮蔽ゲート開閉コントローラ」の実施方法を示した説明図である、市販のアナログ視聴覚信号機器、またはデジタル表示パネル及び防塵遮蔽装置駆動モーター、また電動型の開閉仕切り装置、関連機器等を適宜作動するためのインターロック信号を発信する、ＰＬＣプログラム回路構成をなすチャート図実施例３である。
【図４】「高度防塵遮蔽ゲート開閉コントローラ」の実施方法を示した説明図である、多種多様、メーカ、仕様の異なる構成の「ゲート防塵遮蔽装置」、「ゲート開閉仕切り装置」「関連機器」を、本発明の「高度防塵遮蔽ゲート開閉コントローラ」に接続して、マッチング処理の後既設再利用、経済性、優位性、利便性示す相関図実施例４である。
【図５】「高度防塵遮蔽ゲート開閉コントローラ」の実施方法を示した説明参考図である、連係操作する手動操作型の「開閉仕切り装置」の場合の実施例５である。
【図６】「高度防塵遮蔽ゲート開閉コントローラ」の実施方法を示した説明参考図である、連係自動運転する電動型の「開閉仕切り装置」の場合の実施例６である。※手動型、電動型参考図は、商標登録５８５４６７７号クリーンゲート、商標登録５６０９０９６号ザ・ガードモンを表記なお、ＯＥＭ受注の際は相手先名称に変える。
【発明を実施するための形態】
【実施例１】
【００３５】図１は、本発明の市販のアナログ視聴覚信号機器を、図２表示パネル部に装着した、アナログ表示器型、またはデジタル表示のプログラマブル表示器型の正面図である。
【実施例２】
【００３６】図２は、「高度防塵遮蔽ゲート開閉コントローラ」に市販のアナログ視聴覚信号機器を装着する為の、本発明構成をなす表示パネル部の正面図である。
【実施例３】
【００３７】図３は、アナログ型「高度防塵遮蔽ゲート開閉コントローラ」または、デジタル表示型「高度防塵遮蔽ゲート開閉コントローラ」を適宜作動するためのＰＬＣプログラム回路構成をなす、チャート図である。
【実施例４】
【００３８】図４は、本発明の「高度防塵遮蔽ゲート開閉コントローラ」と接続して、コントロールする対象関連機器を示す相関図である。
【実施例５】
【００３９】図５は、アナログ型「高度防塵遮蔽ゲート開閉コントローラ」埋込型、筐体収納型、の手動操作型「開閉仕切り装置」対応型の正面参考図である。
【実施例６】
【００４０】図６は、アナログ型「高度防塵遮蔽ゲート開閉コントローラ」埋込型、筐体収納型、の電動型「開閉仕切り装置」、「関連機器等」対応型の正面参考図である。
【産業上の利用可能性】
【００４１】今、「食の安全」が問われ法改正また関連企業の取組も進んでいる、しかし数多い課題は一向に改善されない、「食の安全」対策には企業格差、人的格差、等取組基準が一様でない、また外来運転手従事者に「汚染外気の浸入」の恐れのある、問題の多いゲートの開閉操作を託している。【００４２】本発明の「高度防塵遮蔽ゲート開閉コントローラ」は「人類、生物の敵」汚染外気の清浄施設内浸入を従来型に比べ、当該運転手、従事者の開閉操作ミスを防ぎ、操作が極めて容易かつ平易にできる、当該ゲートの「防塵遮蔽装置の遮蔽完了後」に、「適宜連携」して「開閉仕切り装置」の手動操作型、電動型の開閉操作、関連機器（［図４］）の起動、発停に最適の「高度防塵遮蔽ゲート開閉コントローラ」を提供する。【００４３】而して「食の安全」に関する物流、倉庫の「高度防塵遮蔽ゲート開閉コントローラ」を用いた諸々安全対策の強化、普及化を図る。
【符号の説明】
【００４４】１「▲１▼ゲート確認」案内表記、「入車確認シテね」指示表記誘導ランプ
２「▲２▼開始釦」（手動型開閉仕切り装置）、「▲２▼開始／▲５▼ドア閉」（電動型仕切）案内表記
３「準備中マッテね」指示表記誘導ランプ
３、４、５、６「発車禁止」案内表記、表示誘導赤色ランプ
４「準備完了ドア開シテね」（手動ドア時）指示表記誘導ランプ
４「ドア運転中」（電動ドア時）指示表記誘導ランプ
６「準備中マッテね」指示表記誘導ランプ
７「▲７▼発車Ｏ．Ｋ」案内表記、表示誘導緑色（青色）ランプ
８「ルール違反！」「ドア閉じる警報」案内表記、（警報ブザー２音型）
【図１】
2018087479.tif 000003
【図２】
2018087479.tif 000004
【図３】
2018087479.tif 000005
【図４】
2018087479.tif 000006
【図５】
2018087479.tif 000007
【図６】
2018087479.tif 000008